(57)【要約】【課題】風呂給湯器具内のドレンを受け、浴槽下に排出する流路を備えたバスアダプターを提供する。【解決手段】バスアダプター１は、風呂給湯器具で発生したドレンを、排水パン８に直接排出するドレン排出管３２を備える。これにより、ドレンを往きチューブ５に流し、ドレン排出管３２から排水パン８に直接排水できるので、ドレンを排水するための配管を不要にできる。さらに、風呂給湯器具のコントローラは、浴槽７内に浴槽水が溜められていない場合に、ドレン排出管３２に設けられた電磁弁３３を開弁するので、往きチューブ５から送出されたドレンを、外側通路３６に流すことなく、ドレン排出管３２から排水パン８に排出できる。さらに、浴槽７に湯が溜められている場合は、電磁弁３３を閉弁するので、往きチューブ５から送出された湯が、ドレン排出管３２に流れて排水パン８に排出されるのを防止できる。【選択図】図２
2007101075.tif 000002
【特許請求の範囲】
【請求項１】
浴槽に配設され、風呂給湯器具から供給される湯水を吐出する吐出流路を備えたバスアダプターであって、
前記吐出流路の途中に連結され、前記風呂給湯器具内で生じたドレンを、前記浴槽の下方に配設された排水パンに排出するドレン排出流路を備え、ドレンを排出するための開閉弁を備えたことを特徴とするバスアダプター。
【請求項２】
前記開閉弁は電磁弁であって、
当該電磁弁の開閉を制御する弁制御手段と
を備え、
前記弁制御手段は、前記浴槽内に浴槽水が溜められていない時に、前記電磁弁を開弁させ、前記ドレン排出流路を介すことによって、ドレンを前記排水パンに排出することを特徴とする請求項１に記載のバスアダプター。
【発明の詳細な説明】
【技術分野】
【０００１】
本発明は、バスアダプターに関し、詳しくは、風呂給湯器具と浴槽とを接続すると共に、浴槽水を循環させる強制循環式の風呂釜給湯器具に用いられるバスアダプターに関する。
【背景技術】
【０００２】
従来より、風呂給湯器具と浴槽との間で浴槽水を強制循環させる追い焚き式の風呂釜給湯器具が知られている。この風呂釜給湯器具では、例えば、浴槽内の湯水が冷めてしまった場合、浴槽内の水が戻し湯として、浴槽に取り付けたバスアダプターの戻湯口から、器具戻りチューブを介して風呂給湯器具に戻される。ここで、バスアダプターとしては、例えば、本出願人にて出願された特許文献１に記載のようなものがある。そして、風呂給湯器具で再び加熱された湯が、浴槽往きチューブを介してバスアダプターの吐出口から浴槽内に供給される。これにより、浴槽内の湯量を変えることなく、冷めてしまった浴槽水を温めなおすことができる。
【特許文献１】特開２００３−３０７３５０号公報
【発明の開示】
【発明が解決しようとする課題】
【０００３】
ところで、近年では、省エネルギー化の観点から、潜熱回収型の風呂給湯器具の研究が盛んに進められている。この種の風呂給湯器具は、バーナからの熱焼排ガスの顕熱を主熱交換器で回収した後、その熱焼排ガスの潜熱を主熱交換器の下流に設けた副熱交換器により回収するものであり、非常に効率良く熱回収できるものであるが、潜熱回収に伴い、副熱交換器から生じる酸性ドレンをいかにして排出するかが問題となっている。この問題の解決方法の一つとして、熱交換器で発生したドレンを浴槽下へ排出するための配管を浴槽下に別途設けるという方法が挙げられるが、この方法では、浴槽下に配設される配管構成が複雑になる。また、浴槽下での配管作業が面倒であるという問題点もあった。さらに、ドレンを排出するための配管の部品コストがかかるという問題点もあった。
【０００４】
本発明は、上記課題を解決するためになされたものであり、風呂給湯器具内のドレンを受けて、浴槽下に排出する流路を備えたバスアダプターを提供することを目的とする。
【課題を解決するための手段】
【０００５】
上記目的を達成するために、請求項１に係る発明のバスアダプターによれば、浴槽に配設され、風呂給湯器具から供給される湯水を吐出する吐出流路を備えたバスアダプターであって、前記吐出流路の途中に連結され、前記風呂給湯器具内で生じたドレンを、前記浴槽の下方に配設された排水パンに排出するドレン排出流路を備え、ドレンを排出するための開閉弁を備えている。
【０００６】
また、請求項２に係る発明のバスアダプターによれば、請求項１に記載の発明の構成に加え、前記開閉弁は電磁弁であって、当該電磁弁の開閉を制御する弁制御手段とを備え、前記弁制御手段は、前記浴槽内に浴槽水が溜められていない時に、前記電磁弁を開弁させ、前記ドレン排出流路を介すことによって、ドレンを前記排水パンに排出することを特徴とする。
【発明の効果】
【０００７】
請求項１に係る発明のバスアダプターでは、風呂給湯器具内で生じたドレンを、吐出流路の途中からドレン排出流路を通過させ、開閉弁を開弁することによって、浴槽下の排水パンに排出できる。これにより、浴槽下にドレンを排出する配管を設ける必要がないため、浴槽下の配管構成を容易にできる。また、浴槽下での面倒な配管作業を不要にできる。さらに、ドレンを浴槽下に排出するための配管にかかる部品コストを節約できる。
【０００８】
また、請求項２に係る発明のバスアダプターでは、請求項１に記載の発明の効果に加え、弁制御手段は、浴槽内に浴槽水が溜められていない時に電磁弁を開弁させるので、ドレン排出流路から排水パンにドレンのみを排出できる。また、浴槽内に浴槽水が溜められている時は電磁弁を開弁させないので、風呂給湯器具から供給された湯水がドレン排出流路を通り、排水パンに排出されるのを防止できる。
【発明を実施するための最良の形態】
【０００９】
以下、本発明の一実施形態であるバスアダプター１について、図面に基づいて説明する。図１は、バスアダプター１と風呂給湯器具２の配置図であり、図２は、浴槽７の側壁７ａに取り付けられたバスアダプター１の縦断面図であり、図３は、バスアダプター１の横断面図である。また、図２において、左側をバスアダプター１の前方とし、右側をバスアダプター１の後方とする。
【００１０】
なお、本実施形態であるバスアダプター１は、風呂給湯器具２で発生したドレンを、追い焚き用配管（往きチューブ５）を介して、浴槽７に取り付けられたバスアダプター１に供給し、該バスアダプター１に設けられたドレン排出管３２（図２参照）から、浴槽７下の排水パン８に排出できる点に本発明の特徴を備えるものである。
【００１１】
はじめに、バスアダプター１と風呂給湯器具２の配置について説明する。図１に示す風呂給湯器具２は、強制循環式と呼ばれるタイプのものであり、浴槽７内の湯量を変えずに、浴槽水を再度加熱できる所謂「追い焚き機能」を備えている。そして、この風呂給湯器具２の器具本体４の底部には、追い焚き用配管である往きチューブ５及び戻りチューブ６が各々接続されている。さらに、往きチューブ５及び戻りチューブ６の反対側の各端部は、浴槽７の側壁７ａの下部に取り付けられたバスアダプター１に接続されている。このような配置によって、風呂給湯器具２と浴槽７との間に湯水が循環する循環回路が形成されている。
【００１２】
一方、浴槽７の下方には、浴槽７の排水を受けて床下に排出するための排水パン８が配設されている。さらに、排水パン８の底部には床下に延びる排水管９が連結されている。これにより、浴槽７内の浴槽水は、底面に設けられた排水口（図示外）から排水パン８に排出され、排水管９を介することによって、床下に排水されるようになっている。さらに、本実施形態では、風呂給湯器具２で発生したドレンが追い焚き配管（往きチューブ５）を通り、バスアダプター１に設けられたドレン排出管３２（図２参照）を介して、排水パン８に直接排出されるようになっている。なお、このドレン排出管３２を備えたバスアダプター１の構造については後述する。
【００１３】
次に、風呂給湯器具２について説明する。この風呂給湯器具２は、外壁等に取り付け可能な箱型の器具本体４を備えている。そして、この器具本体４の内側には、戻りチューブ６から器具本体４内に戻ってきた浴槽水を加熱する循環加熱回路（図示外）と、水道水を加熱してシャワー等に供給する一般給湯回路（図示外）とが各々設けられている。なお、図示しないが、これらの回路は、バーナや、ファン及び熱交換器等によって構成されたものである。また、一般給湯回路は、高効率的に熱回収するために、顕熱を回収する主熱交換器の他、潜熱を回収する副熱交換器を有するものである。さらに、器具本体４内には、循環加熱回路と一般加熱回路の各動作を制御するコントローラ１２が設けられている。そして、一般給湯回路は、循環加熱回路にも接続されている。これにより、浴槽７の湯張りの際には、一般給湯回路で加熱された湯が往きチューブ５を通り、バスアダプター１から浴槽７内に供給されるようになっている。
【００１４】
また、器具本体４内を循環する配管には、風呂給湯器具２と浴槽７の間に形成された循環回路内の水圧を検出する水圧センサ（図示外）が設けられている。この水圧センサは、コントローラ１２に電気的に接続され、検出値を電気信号としてコントローラ１２に出力している。そして、コントローラ１２では、その水圧センサから出力された水圧の検出値によって、浴槽７に溜められた浴槽水の湯量を間接的に認識している。
【００１５】
さらに、器具本体４内には、循環加熱回路及び一般加熱回路の各熱交換器、特に前記副熱交換器で発生したドレンを一時的に溜めるドレンタンク（図示外）が設けられている。そして、このタンク内に溜まったドレンは、ポンプ（図示外）の駆動により、タンク内からドレン配管（図示外）に吸引され、往きチューブ５を介して、浴槽７に取り付けられたバスアダプター１に送出される。さらに、バスアダプター１に送出されたドレンは、バスアダプター１のドレン排出管３２（図２参照）を介して排水パン８に排出される。また、往きチューブ５の上流側には、循環加熱回路、一般加熱回路及びドレン配管にそれぞれつながる各流路を切替えることのできる切替電磁弁（図示外）が設けられている。そして、この切替電磁弁はコントローラ１２に電気的に接続されており、該コントローラ１２の制御によって切替電磁弁内の流路が切り替わり、往きチューブ５内に、湯又はドレンが通過するようになっている。
【００１６】
次に、本発明の特徴であるバスアダプター１の構成について説明する。図２に示すバスアダプター１は、略漏斗状に形成された浴槽受金具１５と、該浴槽受金具１５の内側に螺合する略筒状の浴槽ボルト１６と、該浴槽ボルト１６に被せて取り付ける側面視Ｔ字型のガイド体１７と、該ガイド体１７及び浴槽ボルト１６に被せて装着する有底円筒状のキャップ１８と、パッキン１９，２０，２１とで構成されている。そして、これら構成部品が、浴槽７の側壁７ａに開口して形成された開口穴１０に取り付けられる。
【００１７】
次に、浴槽７の側壁７ａに取り付けられたバスアダプター１の取付構造について具体的に説明する。まず、図２に示すように、浴槽７の側壁７ａの開口穴１０に対し、浴槽７の外側からパッキン１９を介して浴槽受金具１５が嵌め込まれている。さらに、浴槽７の内側からパッキン２０を介して浴槽ボルト１６が、開口穴１０を介することによって、浴槽受金具１５の内側に螺合して取り付けられている。これにより、浴槽受金具１５及び浴槽ボルト１６が、開口穴１０を両側から塞ぐと共に、浴槽７の側壁７ａを挟むようにして取り付けられている。次いで、ガイド体１７が、浴槽７の内側からパッキン２１を介して浴槽ボルト１６に被せるようにして取り付けられている。さらに、浴槽７の内側から、そのガイド体１７を覆うようにして、キャップ１８が装着されている。なお、このキャップ１８には、異物止めのフィルター１８ａ，１８ｂが各々設けられている。
【００１８】
次に、ガイド体１７について説明する。このガイド体１７は、有底筒状のガイド本体１７ａと、該ガイド本体１７ａの長手方向一端部近傍の外側面から径方向外側に延びるフランジ状に形成された蓋体１７ｂとで構成されている。そして、ガイド本体１７ａの内側には、浴槽７内の浴槽水が風呂給湯器具２に向かって通過する内側通路３５が設けられている。さらに、そのガイド本体１７ａの外側面と、浴槽ボルト１６の内側面との間には、内側通路３５の外側を覆う環状の隙間が形成されている。そして、この環状の隙間が、風呂給湯器具２で加熱された湯が浴槽７内に向かって通過する外側通路３６となっている。したがって、バスアダプター１内には、内側通路３５と外側通路３６との２つの流路を備える二重管構造が形成されている。
【００１９】
さらに、図３に示すように、ガイド体１７の蓋体１７ｂには、内側通路３５の上流側一端部に対して直角に連通する入水管２８と、外側通路３６の下流側一端部に対し、連通口２３を介して直角に連通する出水管２７とが、浴槽７の内側に露出して各々設けられている。そして、浴槽７の内側から蓋体１７ｂを見た時に、入水管２８は左斜め下方向に向けられ、出水管２７は右斜め下方向に向けられている。なお、入水管２８及び出水管２７の向きはこれに限定されない。また、出水管２７の先端側には、該先端部分を覆うと共に、出水管２７の先端の延長線上に沿って延設された大径管部２９が設けられている。これにより、出水管２７の先端部が大径管部２９内にやや臨むように配置された状態となる。そして、その出水管２７と大径管部２９との間に、円弧状の浴槽水吸入口３０が形成されている。
【００２０】
次に、浴槽受金具１５について説明する。図２に示すように、浴槽受金具１５は、リング状の座部１５ａと、該座部１５ａの内周縁に連結され、座部１５ａの後方に向かって延設された有底円筒状の段部１５ｂと、該段部１５ｂの底部の中心にやや貫通して設けられると共に、段部１５ｂの後方に向かって延設された略管状の延出部１５ｃとで構成され、全体が漏斗状に形成されている。
【００２１】
そして、延出部１５ｃの後端部には内側通路３５と連通する接続口３７が設けられ、該接続口３７には、出水接手４１の一端部が接続されている。そして、この出水接手４１の他端部には、戻りチューブ６の上流側一端部が接続されている。一方、段部１５ｂは、平面視円形状の底部２５ａと、該底部２５ａの外周から前方に向かって所定幅だけ延設された周壁２５ｂとで構成されている。そして、その底部２５ａと周壁２５ｂとが接触する下側の角部には、外側通路３６と連通する接続口３８が設けられ、該接続口３８は浴槽受金具１５の斜め下後方に向けられている。さらに、その接続口３８には、入水接手４０の一端部が接続され、該入水接手４０の他端部には、往きチューブ５の下流側一端部が接続されている。
【００２２】
また、段部１５ｂの周壁２５ｂには、段部１５ｂの内側に連通する接続口３９が設けられ、該接続口３９には、浴槽受金具１５の下方に延設されたドレン排出管３２の上流側一端部が接続されている。そして、このドレン排出管３２の管路の途中には、ドレンが流れる流路を開閉する電磁弁３３が設けられている。そして、この電磁弁３３は、配線１４（図１，図２参照）を介して、風呂給湯器具２の器具本体４内に設けられたコントローラ１２に電気的に接続されている。これにより、電磁弁３３の開閉は、コントローラ１２によって制御され、ドレン排出管３２内の流路の開閉が制御されている。なお、図１に示すコントローラ１２が、「弁制御手段」に相当する。
【００２３】
次に、上記構造からなるバスアダプター１内の湯水の流れについて説明する。まず、図１に示すコントローラ１２の制御信号により、器具本体４内に設けられた循環加熱回路のポンプ（図示外）が駆動する。すると、図３に示すように、浴槽７に溜められた浴槽水は、バスアダプター１の入水管２８の戻し口２８ａからバスアダプター１内に吸い込まれ、内側通路３５を通過する。さらに、図２に示すように、内側通路３５を通過した浴槽水は、浴槽受金具１５の延出部１５ｃの接続口３７から出水接手４１を介して、戻りチューブ６を通過し、図１に示す風呂給湯器具２へ送出される。さらに、風呂給湯器具２の器具本体４内に戻された浴槽水は、循環加熱回路の熱交換器（図示外）によって再び加熱され、往きチューブ５に再び送出される。そして、往きチューブ５を通過した浴槽水は、図２に示す入水接手４０を介して、浴槽受金具１５の段部１５ｂの接続口３８からバスアダプター１内に送出される。次いで、浴槽水は、環状の外側通路３６を通過して、出水管２７の吐出口２７ａから浴槽７内に出湯される。そして、浴槽水がバスアダプター１を介して循環することにより、毛髪等のゴミがキャップ１８のフィルター１８ａ，１８ｂ（図３参照）によってろ過される。以上説明した一連の流れによって湯が循環加熱され、浴槽水の追い焚きがなされる。
【００２４】
また、図３に示すように、風呂給湯器具２で加熱された湯が出水管２７の吐出口２７ａから浴槽７内に吐出されると、その流れにより、浴槽水吸入口３０内の水圧が減圧されるエゼクター効果が生じる。これにより、浴槽７内の湯水が、この浴槽水吸入口３０から大径管部２９の内側に吸い込まれる。そして、吸い込まれた浴槽水は、加熱された湯水と大径管部２９内で合流して混合され、大径管部２９の吐出口２９ａから浴槽７内に吐出される。これにより、風呂給湯器具２から熱湯が供給される場合でも、それよりも温度の低い浴槽水と混合されるので、温度をやや下げた状態で浴槽７内に湯を吐出することができる。
【００２５】
次に、バスアダプター１におけるドレンの流れについて説明する。まず、器具本体４内の水圧センサの検出信号により、浴槽７内に浴槽水が溜められていないことをコントローラ１２が認識する。すると、コントローラ１２は、バスアダプター１のドレン排出管３２に設けられた電磁弁３３を開弁する。さらに、コントローラ１２は、器具本体４内に設けられた切替電磁弁（図示外）を切り替える。これによって、ドレンタンク内に溜まったドレンは、図示外のポンプの駆動により、ドレン配管から往きチューブ５に流れる。すると、往きチューブ５を通過したドレンは、入水接手４０からバスアダプター１の段部１５ｂの接続口３８から、バスアダプター１の浴槽受金具１５の段部１５ｂ内に流入する。
【００２６】
次いで、浴槽受金具１５の段部１５ｂ内に流入したドレンは、外側通路３６に流れることなく、そのままドレン排出管３２に流れる。そして、ドレン排出管３２を流れたドレンは、排水パン８の内側に落下して、排水管９から床下に排出される。また、浴槽７に湯張りする場合は、まず、切替電磁弁を切り替えて、往きチューブ５にドレンが流れないようにする。さらに、電磁弁３３を閉弁することにより、風呂給湯器具２で加熱された湯が、ドレン排出管３２に流れず、外側通路３６に流れる。よって、排水パン８に排出されるのを防ぐことができる。なお、浴槽水が浴槽７と風呂給湯器具２との間で循環している場合も同じであり、電磁弁３３は閉弁される。
【００２７】
なお、図２に示す、内側通路３５と浴槽受金具１５の延出部１５ｃの内側とが連通する流路が、「戻し流路」に相当し、外側通路３６と浴槽受金具１５の段部１５ｂの内側とが連通する流路が、「吐出流路」に相当し、ドレン排出管３２の内側の流路が、「ドレン排出流路」に相当する。
【００２８】
以上説明したように、本実施形態のバスアダプター１では、風呂給湯器具２で発生したドレンを、排水パン８に直接排出するためのドレン排出管３２を備えている。これにより、ドレンを器具本体４外に排出するための配管をわざわざ設けなくても、ドレンを追い焚き用配管（往きチューブ５）に流し、ドレン排出管３２から排水パン８に直接排水することができる。よって、ドレンを排水するための配管を不要にできる。さらに、浴槽７とバスアダプター１との間を２本の追い焚き用配管（往きチューブ５、戻りチューブ６）を設けるだけで足りるので、配管構成が容易となり、配管にかかる部品コストも節約できる。
【００２９】
また、コントローラ１２は、浴槽７内に浴槽水が溜められていない場合に、ドレン排出管３２に設けられた電磁弁３３を開弁するので、往きチューブ５から送出されたドレンを、外側通路３６に流すことなく、ドレン排出管３２から排水パン８に排出することができる。さらに、浴槽７内に浴槽水が溜められている場合は、ドレン排出管３２に設けられた電磁弁３３を閉弁するので、往きチューブ５から送出された湯が、ドレン排出管３２に流れて排水パン８に排出されるのを防ぐことができる。
【００３０】
なお、本発明は上記実施形態に限定されることなく、様々な変形が可能であることは言うまでもない。例えば、上記実施形態では、浴槽受金具１５の接続口３７に戻りチューブ６、接続口３８に往きチューブ５が各々接続されているが、接続口３７に往きチューブ５、接続口３８に戻りチューブ６が各々接続され、極性が反対となったバスアダプターにも適用可能である。この場合、上記実施形態とは逆に湯水等が流れるが、浴槽受金具１５の延出部１５ｃに、上記実施形態と同様のドレン排出管を接続し、該ドレン排出管の途中に電磁弁を設けることによって、往きチューブ５から送出されたドレンを排水パン８に排出することができる。
【産業上の利用可能性】
【００３１】
本発明のバスアダプターは、風呂給湯器具に接続された配管と浴槽とを接続するバスアダプターに適用可能である。
【図面の簡単な説明】
【００３２】
【図１】バスアダプター１と風呂給湯器具２の配置図である。
【図２】浴槽７の側壁７ａに取り付けられたバスアダプター１の縦断面図である。
【図３】バスアダプター１の横断面図である。
【符号の説明】
【００３３】
１    バスアダプター
２    風呂給湯器具
４    器具本体
７    浴槽
８    排水パン
１２    コントローラ
１５    浴槽受金具
１５ｂ  段部
１５ｃ  延出部
３２    ドレン排出管
３３    電磁弁
３５    内側通路
３６    外側通路
【図１】
2007101075.tif 000003
【図２】
2007101075.tif 000004
【図３】
2007101075.tif 000005